(57)【要約】  本発明は、ページ固定用クリップに関するもので、より詳細には、携帯が簡便でありながら、開かれた本の両側のページがしっかり固定されるページ固定用クリップに関するもので、開かれた本の横の長さより所定の長さだけ短く形成された横台と、横台の両端が一側に折り曲げられて、開かれたページの前面に各々据え置かれるページ支持台と、前記横台の略中央部に、前記横台の垂直方向に突出して本の後面を支持する弾性支持部と、で構成される。  これによって、ページ固定用クリップの携帯時に、使用者が感じる大きさと重さの負担が減るだけでなく、場所に関係なく、簡便に本を開いて望みのページを固定することができるという効果を有することになる。
2008532822.tif 000002
【特許請求の範囲】
【請求項１】
開かれた本の横の長さより所定の長さだけ短く形成された横台と、
前記横台の両端が一側方に折り曲げられて、開かれたページの前面に各々据え置かれるページ支持台と、
前記横台の略中央部に、前記横台の垂直方向に突出して本の後面を支持する弾性支持部と、で構成されていることを特徴とするページ固定用クリップ。
【請求項２】
前記ページ支持台の端部に、前記ページ支持台の直径より太く形成された突部が形成されていることを特徴とする特許請求の範囲第１項に記載のページ固定用クリップ。
【請求項３】
前記弾性支持部は、所定距離だけ離隔されて一対が形成されていることを特徴とする特許請求の範囲第１項に記載のページ固定用クリップ。
【請求項４】
前記ページ支持台は、前記弾性支持部を基準に、一側の距離がもっと長く形成されていることを特徴とする特許請求の範囲第１項乃至第３項のいずれか一項に記載のページ固定用クリップ。
【発明の詳細な説明】
【発明の詳細な説明】
【０００１】
〔技術分野〕
本発明は、ページ固定用クリップに関するもので、より詳細には、携帯が簡便でありながら、開かれた本の両側のページがしっかり固定されるページ固定用クリップに関するものである。
【０００２】
〔背景技術〕
一般的に、本を利用して勉強する人たちは、本の特定ページを開いておき、該当ページに収録された内容を繰り返し的に読むことになるのだが、このような場合、多数の紙が重なって一体に製本された本の特性上、ページが使用者の意図に反して捲れてしまい、使用者が再び該当ページを開いたり、別途の品物をページの上に置いてページが捲れないようにしなければならないという不便さがあった。
【０００３】
このような問題点を解消しようと、図６に図示されているように、本の置かれる受け板１００の前面下端に、ページが挿入されて固定される固定溝２０１の形成されたページ固定部２００を形成して、ページが使用者の望む特定ページに固定されるようにし、後面には支持台１０１を具備して、本が使用者の望む角度に固定されるようにする本固定台が考案され、広く使用されている実情である。
【０００４】
しかし、前記のような本固定台は、木材または合成樹脂材などで受け板及びページ固定部が形成されることによって、その嵩が大きく、重さが重くて、携帯が難しいという問題点があり、机だけでなく、野外や大衆交通手段の中などで使用者が本を読もうとする時、使用が難しいという問題点があった。
【０００５】
〔発明の開示〕
〔発明が解決しようとする課題〕
そこで、本発明は、前記のような従来の諸般問題点を解消するために案出されたもので、その目的は、携帯が簡便でありながら、開かれた本の両側ページをしっかりと固定することのできるページ固定用クリップを提供することにある。
【０００６】
また、本発明の目的は、ページがしっかり固定されるようにするだけでなく、ページを捲りやすくすることにある。
【０００７】
また、本発明の目的は、本の製本部がページ固定用クリップの中央部に引っ掛かって固定されるようにすることにある。
【０００８】
また、本発明の目的は、開かれたページの量が変わっても、ページがしっかり固定されるようにすることにある。
【０００９】
〔課題を解決するための手段〕
前記のような目的を達成するために、本発明は、開かれた本の横の長さより所定の長さだけ短く形成された横台と、前記横台の両端が一側方向に折り曲げられて、開かれたページの前面に各々据え置かれるページ支持台と、前記横台の略中央部に、前記横台の垂直方向に突出して本の後面を支持する弾性支持部と、で構成されていることを特徴とする。
【００１０】
また、前記ページ支持台の端部に、前記ページ支持台の直径より太く形成された突部が形成されていることを特徴とする。
【００１１】
また、前記弾性支持部は、所定距離だけ離隔されて一対が形成されていることを特徴とする。
【００１２】
また、前記ページ支持台は、前記弾性支持部を基準に、一側の距離がもっと長く形成されていることを特徴とする。
【００１３】
〔図面の簡単な説明〕
図1は、本発明の一実施例を示した斜視図である。
【００１４】
図2は、図１の使用状態を示した斜視図である。
【００１５】
図3は、本発明の他の実施例を示した斜視図である。
【００１６】
図4は、図３の正面図である。
【００１７】
図5は、図３の使用状態を示した斜視図である。
【００１８】
図6は、従来の本固定台の一例を示した斜視図である。
【００１９】
〔発明を実施するための最良の形態〕
以下、本発明の好ましい実施例を添付の図面を参照してより詳細に説明すると、次のとおりである。
【００２０】
図１は、本発明の一実施例を示した斜視図で、図示されているように、本発明は、金属や合成樹脂などの弾性を有する材質で形成される横台１０の両端で一側方に折り曲げられて一体にページ支持台２０を形成し、前記横台１０のほぼ中央部に、前記横台１０の垂直方向に突出される弾性支持部３０を形成して、本が開かれた状態でページが固定されるだけでなく、その携帯が簡便になるようにしたものである。
【００２１】
前記横台１０は、針金などの金属材または一定の剛性を有しながら弾性を有する合成樹脂材などの線材で形成され、本の下面または上面の端に位置しながら、後述されるページ支持台２０が開かれた本のページを弾性を有して支持するようにする。
【００２２】
前記ページ支持台２０は、上述した横台１０の両端に一側方向に折り曲げられて形成され、開かれた本の両側前面を支持しながら、使用者の望むページが開かれて固定されるようにする。
【００２３】
前記弾性支持部３０は、前記横台１０のほぼ中央部に、横台１０の垂直方向に突出して形成され、開かれた本の後面を支持するようにすることによって、ページ支持台２０が横台１０と弾性支持部３０とによって適正弾性を有しながら、開かれた本のページをしっかり固定するのである。
【００２４】
また、前記弾性支持部３０は、美麗な外観を有しながら、制作が簡便になるように、横台の一部を折り曲げて形成してもかまわない。
【００２５】
また、前記ページ支持台２０の端部には、ページ支持台２０の直径より太い直径を有する突部２１を形成して、ページ支持台２０とページの接触する面積が最小化されながらも、ページがしっかり支持されるようにすることによって、ページを捲る時、捲られるページがページ支持台２０から容易に抜けるようにするのが好ましい。
【００２６】
並びに、前記横台１０とページ支持台２０の連結部及び横台１０と弾性支持部３０の連結部は、弾性がより増大されるように丸みを持たせて形成してもかまわない。
【００２７】
図２は、図１の使用状態を示した斜視図で、上述のように構成された本発明は、図示されているように、本１を開いた後、本１の下部側または上部側でページ支持台２０が開かれた本１のページ前面に位置するようにし、弾性支持部３０が本１の後面を支持するようにすることによって、横台１０の弾性支持力によって本１が開かれた状態で固定されるようになるのである。
【００２８】
また、この時ページを支持するページ支持台２０が針金などの線材で形成されることによって、本を覆う面積が最小化され、ページ固定用クリップを側方のあっちこっちに動かさなくても、本に収録された内容を簡単に読めるようになるのである。
【００２９】
また、ページ支持台２０の端部には、上述した突部２１が形成されることによって、ページ支持台２０と本１が接触する面積が減りながらも、突部２１がページを支持するようになって、ページ固定用クリップで本を固定した状態でページを捲るのがより簡便になるのである。
【００３０】
図３は、本発明の他の実施例を示した斜視図で、図４は、図３の正面図で、図５は、図３の使用状態を示した斜視図で、本実施例では、上述した実施例の構成要素を全て含み、上述した弾性支持部は、所定距離だけ離隔されて一対が形成されるようにして、弾性支持部３０ａ，３０ｂが本１の後面を支持しながら、本の製本部が弾性支持部３０ａ，３０ｂの間の空間に挿入されるようにする。
【００３１】
これによって、開かれた本１にページ固定用クリップを固定する時、弾性支持部３０ａ，３０ｂの間の空間に本の製本部が挿入されるようにすることによって、ページ固定用クリップが本１に固定された状態で側方に押し出されるのを防止して、本がよりしっかり固定されて支持されるだけでなく、ページ固定用クリップが本から離脱されるのを防止することができるようになるのである。
【００３２】
並びに、上述したページ支持台は、一側が前記弾性支持部３０ａ，３０ｂを基準に距離がより長く（Ｄ１＞Ｄ２）なるように形成される。
【００３３】
これによって、本１を開いた時、一側面の厚さが厚くても、薄い厚さを有する面に距離が短い方のページ支持台２０ａが位置するようにし、距離が長い方のページ支持台２０ｂが本の厚い方に位置されるようにすることによって、本の厚さ変化に関係なく、ページ固定用クリップが本を安定的に支持できるようになるのである。
【００３４】
〔産業上の利用可能性〕
上述したように、本発明の横台とページ支持台及び弾性支持部とで構成され、携帯が便利でありながら、開かれた本の両側のページがしっかり固定されるページ固定用クリップを提供することによって、ページ固定用クリップの携帯時に、使用者が感じる大きさと重さの負担が減るだけでなく、場所に関係なく、簡便に本を開いて望みのページを固定することができるという効果を有することになる。
【００３５】
また、本発明は、ページ支持台の端部に突部を形成して、ページとページ支持台の摩擦面積が最小化されるようにすることによって、クリップに固定されたページを捲るのがより便利になるだけでなく、ページを捲った後、再びページを固定する作業が簡便になされるという効果を有することになる。
【００３６】
また、本発明は、一対の弾性支持部を形成して、本の製本部がページ固定クリップの中央部に引っ掛かって固定されるようにすることによって、ページ支持台がページを固定した状態で側方に押し出されるのを防止するだけでなく、クリップが本とより堅固に固定されるという効果を有するのである。
【００３７】
また、本発明は、弾性支持部を基準に、一側のページ支持台がより遠くに形成されて、開かれたページの量が変化してもページがしっかりと固定されるようにすることによって、開かれた本の左右の厚さに差があっても、堅固にページを固定することができるという効果を有することになる。
【図面の簡単な説明】
【００３８】
【図１】本発明の一実施例を示した斜視図である。
【図２】図１の使用状態を示した斜視図である。
【図３】本発明の他の実施例を示した斜視図である。
【図４】図３の正面図である。
【図５】図３の使用状態を示した斜視図である。
【図６】従来の本固定台の一例を示した斜視図である。
【図１】
2008532822.tif 000003
【図２】
2008532822.tif 000004
【図３】
2008532822.tif 000005
【図４】
2008532822.tif 000006
【図５】
2008532822.tif 000007
【図６】
2008532822.tif 000008
【国際調査報告】
2008532822.tif 000009
2008532822.tif 000010